【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
測定光を照射した被検体からの戻り光と前記測定光に対応する参照光とを合波して得た合波光に関する断層信号を用いて得た前記被検体の３次元モーションコントラスト情報を取得し、前記合波光に関する断層信号を用いて得た前記被検体の３次元偏光断層情報を取得する情報取得手段と、
前記３次元モーションコントラスト情報を用いて前記被検体の血管領域を抽出し、前記３次元偏光断層情報を用いて前記被検体の病変領域を抽出する抽出手段と、
前記３次元モーションコントラスト情報を用いて生成されたモーションコントラスト画像に前記病変領域が重畳された画像、前記３次元偏光断層情報を用いて生成された偏光画像に前記血管領域が重畳された画像を生成する画像生成手段と、
前記生成された画像を表示手段に表示させる表示制御手段と、
を有することを特徴とする画像処理装置。
【請求項２】
前記抽出手段は、前記３次元偏光断層情報を用いて前記被検体の３次元の病変領域を抽出し、
前記画像生成手段は、前記３次元の病変領域が前記３次元モーションコントラスト情報を用いて生成された３次元のモーションコントラスト画像に重畳された３次元画像を生成することを特徴とする請求項１に記載の画像処理装置。
【請求項３】
前記画像生成手段は、前記３次元画像を用いて前記被検体の特定の領域のＥｎｆａｃｅ画像を生成することを特徴とする請求項２に記載の画像処理装置。
【請求項４】
前記抽出手段は、前記３次元偏光断層情報を用いて前記被検体の２次元の病変領域を抽出し、
前記画像生成手段は、前記２次元の病変領域が前記３次元モーションコントラスト情報を用いて生成されたモーションコントラストＥｎｆａｃｅ画像に重畳された画像を生成することを特徴とする請求項１乃至３のいずれか１項に記載の画像処理装置。
【請求項５】
前記情報取得手段は、前記合波光を分割して得た互いに異なる偏光の光の断層信号を用いて、前記３次元偏光断層情報及び前記３次元モーションコントラスト情報を取得することを特徴とする請求項１乃至４のいずれか１項に記載の画像処理装置。
【請求項６】
前記互いに異なる偏光の光を検出する検出手段を有する撮像装置と通信可能に接続され、
前記情報取得手段は、前記検出手段により前記互いに異なる偏光の光が検出されることにより得た前記断層信号を用いて、前記３次元偏光断層情報及び前記３次元モーションコントラスト情報を取得することを特徴とする請求項５に記載の画像処理装置。
【請求項７】
前記被検体の深さ方向における複数の領域のうちの少なくとも一つの領域を決定する決定手段を更に有し、
前記画像生成手段は、前記３次元偏光断層情報を用いて、前記決定された少なくとも一つの領域の偏光Ｅｎｆａｃｅ画像を生成し、前記３次元モーションコントラスト情報を用いて、前記決定された少なくとも一つの領域のモーションコントラストＥｎｆａｃｅ画像を生成することを特徴とする請求項１乃至６のいずれか１項に記載の画像処理装置。
【請求項８】
前記決定手段は、検者による操作に応じて、セグメンテーションして得た複数の層を用いて得た前記複数の領域のうちの少なくとも一つの領域を決定することを特徴とする請求項７に記載の画像処理装置。
【請求項９】
前記病変領域を示すパラメータの値と前記血管領域を示すパラメータの値とを表示手段に表示させる表示制御手段を更に有することを特徴とする請求項１乃至７のいずれか１項に記載の画像処理装置。
【請求項１０】
前記表示制御手段は、前記病変領域を示すパラメータの値の経時変化を示すグラフと前記血管領域を示すパラメータの値の経時変化を示すグラフとを前記表示手段に表示させることを特徴とする請求項８または９に記載の画像処理装置。
【請求項１１】
測定光を照射した被検体からの戻り光と前記測定光に対応する参照光とを合波して得た合波光に関する断層信号を用いて得た前記被検体の３次元モーションコントラスト情報を取得する情報取得手段と、
前記３次元モーションコントラスト情報を用いて前記被検体の血管領域を抽出する抽出手段と、
前記３次元モーションコントラスト情報を用いて生成されたモーションコントラスト画像を生成する画像生成手段と、
前記生成された画像を表示手段に表示させ、前記血管領域を示すパラメータの値の経時変化を示すグラフを前記表示手段に表示させる表示制御手段と、
を有することを特徴とする画像処理装置。
【請求項１２】
前記表示制御手段は、検者により選択された異なる検査日時の複数のモーションコントラスト画像における互いに対応する領域内であって、検者により選択された領域内の前記血管領域を示すパラメータの値の経時変化を示すグラフを前記表示手段に表示させることを特徴とする請求項１０または１１に記載の画像処理装置。
【請求項１３】
前記情報取得手段は、略同一位置で繰り返し得た複数の断層信号を用いて、前記３次元モーションコントラスト情報を取得することを特徴とする請求項１乃至１２のいずれか１項に記載の画像処理装置。
【請求項１４】
前記被検体は、被検眼であることを特徴とする請求項１乃至１３のいずれか１項に記載の画像処理装置。
【請求項１５】
測定光を照射した被検体からの戻り光と前記測定光に対応する参照光とを合波して得た合波光に関する断層信号を用いて得た前記被検体の３次元モーションコントラスト情報を取得し、前記合波光に関する断層信号を用いて得た前記被検体の３次元偏光断層情報を取得する工程と、
前記３次元モーションコントラスト情報を用いて前記被検体の血管領域を抽出し、前記３次元偏光断層情報を用いて前記被検体の病変領域を抽出する工程と、
前記３次元モーションコントラスト情報を用いて生成されたモーションコントラスト画像に前記病変領域が重畳された画像、前記３次元偏光断層情報を用いて生成された偏光画像に前記血管領域が重畳された画像を生成する工程と、
前記生成された画像を表示手段に表示させる工程と、
を有することを特徴とする画像処理方法。
【請求項１６】
測定光を照射した被検体からの戻り光と前記測定光に対応する参照光とを合波して得た合波光に関する断層信号を用いて得た前記被検体の３次元モーションコントラスト情報を取得する工程と、
前記３次元モーションコントラスト情報を用いて前記被検体の血管領域を抽出する工程と、
前記３次元モーションコントラスト情報を用いて生成されたモーションコントラスト画像を生成する工程と、
前記生成された画像を表示手段に表示させ、前記血管領域を示すパラメータの値の経時変化を示すグラフを前記表示手段に表示させる工程と、
を有することを特徴とする画像処理方法。
【請求項１７】
請求項１５または１６に記載の画像処理方法の各工程をコンピュータに実行させることを特徴とするプログラム。
【手続補正２】
【補正対象書類名】明細書
【補正対象項目名】００１２
【補正方法】変更
【補正の内容】
【００１２】
本発明に係る画像処理装置の一つは、
測定光を照射した被検体からの戻り光と前記測定光に対応する参照光とを合波して得た合波光に関する断層信号を用いて得た前記被検体の３次元モーションコントラスト情報を取得し、前記合波光に関する断層信号を用いて得た前記被検体の３次元偏光断層情報を取得する情報取得手段と、
前記３次元モーションコントラスト情報を用いて前記被検体の血管領域を抽出し、前記３次元偏光断層情報を用いて前記被検体の病変領域を抽出する抽出手段と、
前記３次元モーションコントラスト情報を用いて生成されたモーションコントラスト画像に前記病変領域が重畳された画像、前記３次元偏光断層情報を用いて生成された偏光画像に前記血管領域が重畳された画像を生成する画像生成手段と、
前記生成された画像を表示手段に表示させる表示制御手段と、を有する。